(57)【要約】【課題】引出を閉めるときに、引出の勢いを弱めるとともに、引出を完全に家具の奥方に引き込む従来の引き込み装置は、引き込み装置やストライクを引出の側板に取り付けなければならなかった。従って、従来の引き込み装置は引出を引き出したときに、これらが見えてしまうため、デザイン的に優れた家具のデザイン性を損なっていた。【解決手段】本発明は、係合部が形成されたランナーを基台に回動自在に取り付けるとともに、該ランナーに引張バネとダンパーを取り付ける。そして引張バネがランナーを取り付けた回動軸を乗り越えることにより、ランナーが引張バネに引っ張られて回動し、その回動をダンパーが緩衝して引出をゆっくりと閉める。【選択図】図１
2012005798.tif 000002
【特許請求の範囲】
【請求項１】
長手方向一側にダンパー設置部が形成され、長手方向他側にバネ係止部が設置されていて、さらに長手方向他側でバネ係止部と離間した位置に回動軸が設置された基台；
一端に開口を有し他端に係合底部を有する係合部が形成され、該係合底部から離間した位置に軸穴が穿設されていて、該軸穴に前記基台の回動軸を挿通することにより回動自在に設置されており、また該軸穴から離間した位置にアーム回動部が設置されていて、軸穴とアーム回動部の間で、しかも軸穴の中心とアーム回動部の中心を結ぶ線よりも係合部の開口側となる位置にバネ取付部が設置されたランナー；
基台のバネ係止部とランナーのバネ取付部間に引張状態で取り付けられた引張バネ；
基台のダンパー設置部に設置され、ロッド先端にアーム取付部が設置されたダンパー；
ランナーのアーム回動部とロッドのアーム取付部にそれぞれ回動自在に取り付けられたアーム；
から構成されていることを特徴とする引出の引き込み装置。
【請求項２】
前記基台には、アームガイドが刻設されていることを特徴とする請求項１記載の引出の引き込み装置。
【発明の詳細な説明】
【技術分野】
【０００１】本発明は、引出の付いた家具において、引出を閉めたときに、引出が奥方に勢いよく衝突するのを防ぐとともに、引出を完全に奥方に引き込むことのできる引出の引き込み装置（以下、単に引き込み装置という）に関する。
【背景技術】
【０００２】  近時の家具は、引出の出し入れが円滑に行われるように、摺動部には家具用レールが取り付けられている。家具用レールとは、金属製のガイドレールとスライドレールから成るものである。ガイドレール内にはスライドレールが収納されており、ガイドレールとスライドレール間には多数のボールベアリングを配置したリテーナが設置されている。従って、引出は滑りが非常に良好であり、引出を勢いよく押し込むと引出が家具の奥部に強く当たり、その反動で引出が少し開いてしまったり、奥部を破損したり、さらには引出の中に整頓して置かれていたものが崩れたりすることがあった。
【先行技術文献】
【０００３】  このような問題に鑑み、従来より引出を閉めたときに、引出の勢いを緩めて奥部に強く当たるのを防ぐ引き込み装置が提案されていた。（特許文献１、２）
【０００４】
【特許文献１】特開２００５−２３０４６８号公報
【特許文献２】特開２００９−３９４９０号公報
【０００５】  図８は従来の引き込み装置を設置した家具の斜視図、図９は従来の引き込み装置の正面断面図である。
【０００６】  家具本体１は前方が入口となった箱状であり、天部２、底部３、奥部４、側壁５、５から構成されている。側壁５、５の内側には家具用レールのガイドレール６、６が取り付けられている。
【０００７】  引出７は、無蓋の箱状であり、前述家具本体１の入口からに容易に挿入できるようになっている。引出７は、前板８、奥板９、底板１０、一対の側板１１、１１から構成されており、側板１１、１１の外側には家具用レールのスライドレール１２が取り付けられている。このスライドレール１２は、前述家具本体１のガイドレール６を摺動自在に出入りさせることができるものである。
【０００８】  また家具本体１の側壁５、５の内側には、引き込み装置１３、１３が取り付けられている。引き込み装置とは、引出を勢いよく閉めたときに、引出の勢いを緩衝させて引出が家具本体の奥部に強く当たるのを防ぐとともに、引出を完全に閉めず、途中で止めても、引出を完全に奥方まで引き込むことができるというものである。図８のように引き込み装置１３を家具本体の側壁５に取り付けた場合、引き込み装置と係合するストライク１４は引出７の側板１１、１１の外側に取り付ける。引き込み装置は、家具本体の側壁だけに取り付けるものではなく、引出の側板の外側に取り付けることもできる。この場合、ストライクは家具本体の側壁に取り付けるようになる。
【０００９】  特許文献２の引き込み装置を図７に示す。引き込み装置１３はケース１５、ランナー１６、引っ張りバネ１７、ダンパー１８から構成されている。ケース１５には両側にガイド溝１９が長手方向水平に形成されており、先端部が斜め上方に屈曲した複雑形状となっている。またケース１５の下部には細長い開口２０が形成されている。ランナー１６はガイド溝１９に沿って移動し、ランナー１６の係止片２１が開口２０から突出してストライク１４と係合するようになっている。つまり従来の引き込み装置は、ランナーがケースの長手方向に対して平行に移動するものであるため、ケースは引出の移動方向に平行して取り付けなければならなかった。そのため引き込み装置やストライクを引出の側板外部に取り付けなければならないことから、引出を開けたときに引き込み装置やストライクが外部から見えてしまうものであった。
【発明の概要】
【発明が解決しようとする課題】
【００１０】  日本に昔からある和ダンスや整理ダンス等の家具の引出は、引出の底板がタンスの底部上を摺動することにより引出の開閉を行うものであった。このように広い面積同士の摺動は接触抵抗が大きいため、開閉に多少の力が要る。しかしながら熟練した家具職人が作った昔のタンスは、引出を閉めたときに、他の引出が押し出されるという機密性があり、このような機密性のある家具が優れた家具であると賞賛されていた。従って、昔からある家具は、熟練した家具職人が時間をかけて精密に製造し、また開閉が軽くなるように比重の軽い桐材を用いていたため、非常に高価となっていた。【００１１】ところで最近の建物は、デザイン的に非常に優れてきているため、該建物内に設置する家具もデザイン的に優れたものが要求されるようになってきている。日本に昔からある家具は、デザイン的に最近の建物には適応しなくなってきているばかりでなく、非常に高価であることから、斬新なデザインで安価な家具が製造されるようになってきている。しかしながらデザイン的に外観が優れた家具であっても、従来の引き込み装置を取り付けた家具は引出を開けたときに引出の側板に取り付けた引き込み装置やストライクが見えてしまうため、これらが家具と適合せず奇異な感じとなって、家具のデザイン性を損なうものであった。【００１２】また従来の引き込み装置は、引き込み装置のケースにランナーを移動させるために複雑形状の細長いガイド溝を形成したり、ランナーの係止片を突出させるためにケースの上部に細長い開口を形成したりしなければならないため、製造費用が高価となるものであった。【００１３】  さらにまた、引き込み装置では、引出を開けたときにランナーが待機位置でない引出の奥方に移動してしまうことがある。このときに再度、ランナーとストライクとを係合させなければならないが、従来の引き込み装置では、この係合に多大な手間がかかったり、或いは特殊形状のストライクを準備しなければならなかったりするという不便さがあった。【００１４】そしてまた、従来の引き込み装置は、図８のように家具本体に取り付ける場合、家具本体の両側壁にそれぞれ一個ずつ、しかも右側用と左側用の二種類を用意しなければならなかった。【００１５】  しかも該引き込み装置に係合させるストライクを引出の側板に取り付ける場合、引出を家具の入口に或る程度挿入し、引出で見えなくなった引き込み装置の係止片に係合できる位置にストライクを取り付けなければならないため、この取り付けが困難となるものであった。
【課題を解決するための手段】
【００１６】前述のように、近時の家具は、家具本体の側壁内側にガイドレールを取り付け、引出の側板外側にスライドレールを取り付けて、これらを摺動させることにより引出が円滑に開閉するようになっている。つまり昔の家具は、引出の底板と家具本体の底部が密着していたが、近時の家具の引出は、これらのレールで吊らされていることになり、引出の底板下部には空間ができている。本発明者は、この底板下部の空間に引き込み装置やストライクを取り付けることができれば、引出を開けたときに引き込み装置やストライクは全く見えなくなるため、家具のデザイン性を害することがなくなることに着目して本発明を完成させた。【００１７】本発明は、長手方向一側にダンパー設置部が形成され、長手方向他側にバネ係止部が設置されていて、さらに長手方向他側でバネ係止部と離間した位置に回動軸が設置された基台；
一端に開口を有し他端に係合底部を有する係合部が形成され、該係合底部から離間した位置に軸穴が穿設されていて、該軸穴に前記基台の回動軸を挿通することにより回動自在に設置されており、また該軸穴から離間した位置にアーム回動部が設置されていて、軸穴とアーム回動部の間で、しかも軸穴の中心とアーム回動部の中心を結ぶ線よりも係合部の開口側となる位置にバネ取付部が設置されたランナー；
基台のバネ係止部とランナーのバネ取付部間に引張状態で取り付けられた引張バネ；
基台のダンパー設置部に設置され、ロッド先端にアーム取付部が設置されたダンパー；
ランナーのアーム回動部とロッドのアーム取付部にそれぞれ回動自在に取り付けられたアーム；
から構成されていることを特徴とする引出の引き込み装置である。
【発明の効果】
【００１８】  本発明は、引き込み装置やストライクを引出底板裏面の空間部に取り付けることができるため、引出を開けたときに外方から引き込み装置やストライクが見えなくなり、家具のデザイン性を損なうことがない。また本発明の引き込み装置は、ケースに複雑形状のガイド溝や細長い開口を形成する必要がないため安価に製造でき、さらに引出を開けたときにランナーが待機位置でない引出の奥方に移動してしまっても、再度ランナーとストライクを容易に係合させることができる。さらにまた本発明の引き込み装置は、家具本体の底部または引出の底板に一個だけ取り付けるだけで済むという従来の引き込み装置にはない優れた効果を奏するものである。
【図面の簡単な説明】
【００１９】
【図１】本発明の引き込み装置にストライクが係合し始める状態を説明する斜視図
【図２】本発明の引き込み装置にストライクが係合してランナーが回動している途中を説明する斜視図
【図３】本発明の引き込み装置にストライクが係合してランナーの回動が停止した状態を説明する斜視図
【図４】本発明の引き込み装置にストライクが係合し始める状態を説明する平面図
【図５】本発明の引き込み装置にストライクが係合してランナーが回動している途中を説明する平面図
【図６】本発明の引き込み装置にストライクが係合してランナーの回動が停止した状態を説明する平面図
【図７】本発明の引き込み装置を設置した家具において、引出を引き抜いた斜視図で、Ａは引出を斜め上方から見た図であり、Ｂは引出を斜め下方から見た図
【図８】従来の引き込み装置を設置した家具の斜視図
【図９】従来の引き込み装置の正面断面図
【発明を実施するための形態】
【００２０】以下図面に基づいて本発明の引き込み装置を説明する。本発明の引き込み装置は、図７のように、家具本体の底部に取り付けたり、或いは図示しないが引出の底板裏面に取り付けたりするため、実際には上下左右の位置関係はない。しかしながら引き込み装置は、理解に便宜なように図面で見た通りの上、下、左、右という語を使用して説明する。
【００２１】  本発明の引き込み装置Ｈは、基台３０、ランナー４０、引張バネ５０、ダンパー６０、アーム７０から構成されており、実際にはストライクＳとともに家具または引出に取り付けられる。
【００２２】基台３０は、矩形の板状であり、矩形の長手方向一側、即ち基台の下側には右側端部から略中央部にかけてダンパー設置部３１が形成されている。ダンパー設置部３１は、箱状のダンパーケースとなっている。ダンパー設置部３１の左部分には切り欠き３２が設けられている。またダンパー設置部３１の左方にはダンパー設置部の中心と平行して細長いアームガイド３３が刻設されている。さらに基台３０の長手方向他側、即ち上側の右側端部にはバネ係止部３４が回動自在に設置されている。また基台３０の上部左方でバネ係止部３４よりも僅かに下方となる位置には回動軸３５が設置されている。そして基台３０の適宜個所には複数の取付孔３６・・・が穿設されている。
【００２３】  ランナー４０は、合成樹脂のような弾性を有する板材からなり、一端に開口４１を有し、他端に係合底部４２を有する係合部４３が形成されている。係合部４３は、Ｓ字を伸ばした形状となっている。そして係合底部４２から離間した位置、即ち図５で示すように係合底部４２の右方となる位置に軸穴４４が穿設されている。該軸穴には前述基台の回動軸３５が挿入され、ランナー４０は基台３０に対して回動できるようになっている。また軸穴４４から離間した位置、即ち図５で示す下方にはアーム回動部４５が設置されている。実施例に示すアーム回動部は、ランナー４０に螺入したビスである。また図６に示すように、軸穴４４とアーム回動部４５の間で、しかも軸穴４４の中心とアーム回動部４５の中心を結ぶ線Ｘよりも係合部側にはバネ取付部４６が設置されている。実施例に示すバネ取付部は、ランナー４０に螺入したビスである。
【００２４】  本発明でストライクに弾性のある合成樹脂のような材料を用いるのは、ストライクと係合部を再度、容易に係合させるためである。つまり引出を閉めたときにランナーが非待機状態、即ち図６のように係合部４３の開口４１が最下部にある状態において、本来係合部４３内に位置していなければならないストライクが係合部から外れる場合があるが、この場合、引出を強く押し込むことにより係合部４３を形成する外辺４７を弾性に抗し押し下げ、ストライクを係合部内に戻すようにする。
【００２５】引張バネ５０は、一端が基台３０のバネ係止部３４に係止され、他端がランナー４０のバネ取付部４６に回動自在に取り付けられている。引張バネ５０は、ランナー４０の引く力を調節したい場合、引っ張りバネ５０の一端に設置した調節牝ネジ５１を回動することにより行える。
【００２６】ダンパー６０は、シリンダー６１が前述ダンパー設置部３１内に収納されている。シリンダー６１内にはピストンが移動自在に設置されており、該ピストンにはロッド６２が固定されている。ロッド６２はダンパー設置部３１の切り欠き３２を通してランナー方向、即ち左方に伸びており、さらにロッド６２の先端にはアーム取付部６３が設置されている。本発明に使用するダンパーは、本発明者が特開２００８−３２２０６号で提案したダンパーが適している。該ダンパーは、奥方に位置していたピストンがロッドにより前方に引かれるときは抵抗なく移動するが、前方に位置していたピストンが奥方に押されるときは抵抗があって、徐々に移動するようになっている。
【００２７】アーム７０は、前述のように一端がランナー４０のアーム回動部４５に、そして他端がロッド６２のアーム取付部６３に回動自在に取り付けられている。ロッド６２と回動自在に取り付けた部分の下部には図１に示すように、突出部７１が形成されており、該突出部は前述基台３０のアームガイド３３内を摺動するようになっている。突出部７１がアームガイド３３に沿って移動することにより、ロッド６２がダンパーのシリンダー６１内に真直ぐに押されるため、ダンパー内でのピストンの移動が円滑に行われ、ダンパーの作用を充分に果たすようになる。またアーム７０は、「く」字状に少し湾曲している。このようにアームが「く」字状に湾曲しているのは、ランナー４０が回動してアームを押し下げるときに、その力を略水平方向に円滑に伝えるためである。
【００２８】次に上記構造を有する本発明の引き込み装置の作動について説明する。
【００２９】図７のＡに示すように、引き込み装置Ｈを家具本体１の底部３に取り付け、図７のＢに示すようにストライクＳを引出７の底板１０に取り付けた場合で説明する。
【００３０】この引き込み装置とストライクの取り付けは、先ず引出を家具本体から引き抜いた状態にしておいてから引き込み装置Ｈを家具本体１の底部３の前方に取り付ける。このとき係合部４３の開口４１は図１、４のように上方を向いた状態にしておく。その後、引出を家具本体の入口から挿入して、引出が完全に閉まる位置よりも少し手前で挿入を止める。この状態でストライクを引き込み装置の係合部の開口に合わせてから引出の底板裏面に取り付ける。このように引き込み装置の開口が見える状態でストライクを取り付けることができるため、取り付け作業が極めて容易で、しかも正確に行える。
【００３１】引出が開いているとき、引き込み装置Ｈは図１、４の待機状態、即ちランナー４０のバネ取付部４６と基台３０のバネ係止部３４に取り付けられた引張バネ５０は、回動軸３５よりも上側に位置しており、このときランナー４０の係合部４３の開口４１はストライクＳの取付方向、即ち上方を向いている。そして引出を家具の奥方に押して図４の矢印Ｙのように閉める方向に移動させていくと、引出の底板１０に取り付けられたストライクＳが係合部４３の開口４１に入る。
【００３２】その後、さらに引出を奥方に押し込むと、係合部４３に入ったストライクＳは係合部を押し下げるため、ランナー４０は図５に示すように、矢印Ｚのように回動する。すると回動軸３５の上方にあった引張バネ５０は、回動軸を乗り越えて下方に位置し、今度はそれ以上引出を奥方に押さなくても引張バネのバネ力でランナー４０が矢印Ｚ方向に回動する。このとき引張バネが勢いよくランナーを回動させようとしても、ランナー４０にはアーム７０を介してダンパー６０のロッド６２に接続されているため、ダンパー６０がランナーの勢いを緩衝して、ゆっくりと回動させるようになる。また引出を閉め始めから勢いよく奥方に押し込んだ場合も、ダンパーがこの勢いを緩衝して、引出が家具の奥部に強く当たらないようにする。
【００３３】図３、６は引出が完全に閉まった状態、即ち非待機状態であり、シリンダー６１内のピストンがシリンダーの奥方に位置している。この非待機状態ではランナー４０の開口４１は最下位にあり、ストライクＳは開口内に位置している。
【００３４】そして閉まっていた引出を開けるときは、ストライクＳが係合部４３の外辺４７を押し上げるため、ランナー４０は矢印Ｚとは逆方に回動する。その後、非待機時に回動軸よりも下方に位置していた引張バネ５０が回動軸３５を乗り越えて上方に位置すると、今度は引張バネがランナー４０を矢印Ｚ方向とは逆方に回動させ、ランナー４０の開口４１を上方、即ち待機状態にする。
【００３５】  引き込み装置では、引出を相当勢いよく開けた場合に、引っ張りバネが回動軸３５よりも下方の位置にある状態、即ち非待機状態でストライクだけが係合部から外れてしまうことがある。このように非待機状態でストライクが係合部から外れてしまうと、引き込み装置の効果が全く奏しなくなってしまうため、非待機状態の引き込み装置の係合部にストライクを侵入させなければならない。このように非待機状態でストライクが係合部から外れた場合は、引出をゆっくりと閉めて、ストライクを係合部の外辺の弾性に抗して上方から押し込んで係合部内に侵入させる。
【産業上の利用可能性】
【００３６】本発明は、引出の下部に空間を有する家具であれば如何なるもの、例えば厨房家具、机、整理ダンス等に適用でいるものである。
【符号の説明】
【００３７】  Ｈ  引き込み装置
Ｓ  ストライク
３０  基台
３１  ダンパー設置部
３２  切り欠き
３３  アームガイド
３４  バネ係止部
３５  回転軸
４０  ランナー
４１  開口
４２  係合底部
４３  係合部
４４  軸穴
４５  アーム回動部
４６  バネ取付部
４７  外辺
５０  引張バネ
６０  ダンパー
６１  ダンパー設置部
６２  ロッド
７０  アーム
７１  突出部
【図１】
2012005798.tif 000003
【図２】
2012005798.tif 000004
【図３】
2012005798.tif 000005
【図４】
2012005798.tif 000006
【図５】
2012005798.tif 000007
【図６】
2012005798.tif 000008
【図７】
2012005798.tif 000009
【図８】
2012005798.tif 000010
【図９】
2012005798.tif 000011